(57)【要約】【課題】照明器具を提供する。【解決手段】器具本体１００と、前記器具本体に取り付けられるランプと、を備え、前記ランプは、光源部と、前記器具本体のソケット１０５に接続される口金４０を有する口金部と、を有し、前記器具本体に、前記光源部を固定する固定治具６０を設け、前記固定治具６０は、前記ソケットに設けられたソケット固定部７０を有する。【選択図】図５
2019145528.tif 000002
【特許請求の範囲】
【請求項１】
器具本体と、
前記器具本体に取り付けられるランプと、を備え、
前記ランプは、光源部と、前記器具本体のソケットに接続される口金を有する口金部と、を有し、
前記器具本体に、前記光源部を固定する固定治具を設け、
前記固定治具は、前記ソケットに設けられたソケット固定部を有する
ことを特徴とする照明器具。
【請求項２】
前記ソケット固定部は、締結部と、光源固定部と、を有し、
前記締結部は、前記ソケットに締め付け固定され、
前記光源固定部は、前記光源部の少なくとも一部に引き掛けられる爪部を有する
ことを特徴とする請求項１に記載の照明器具。
【請求項３】
前記器具本体は、光を放射する開口部を有し、
前記ソケットは、
接続された前記ランプの中心軸が前記開口部に延在するように、前記器具本体に設置されており、
前記ソケット固定部は、
締結部と、光源固定部と、を有し、
前記締結部は、
前記ソケットを締め付け固定し、
前記光源固定部は、
前記ランプの前記開口部に面する側に配置される
ことを特徴とする請求項１に記載の照明器具。
【請求項４】
前記ソケットには、前記光源固定部の設置位置を示すマークが印されている
ことを特徴とする請求項２または３に記載の照明器具。
【発明の詳細な説明】
【技術分野】
【０００１】
本発明は、例えばＬＥＤや有機ＥＬなどの発光素子を光源に用いたランプを備える照明器具に関する。
【背景技術】
【０００２】
近年、半導体発光素子の一種であるＬＥＤの高出力化、及び低コスト化に伴い、ＨＩＤランプの代替として使用可能な口金型のＬＥＤランプを用いた照明器具が提案されている（例えば、特許文献１参照）。ところで、水平点灯装置等の特定の方向のみを照射する照明器具では、器具本体の照射方向に、ＬＥＤランプの照射方向を合わせて取り付ける必要がある。そこで、特許文献１記載のＬＥＤランプでは、口金をランプホルダーに取り付けてから、光源モジュールを、所定の照射方向に向くように口金に連結させている。
【先行技術文献】
【特許文献】
【０００３】
【特許文献１】実用新案登録第３１７７９０８号公報
【発明の概要】
【発明が解決しようとする課題】
【０００４】
本発明は、照明器具を提供することを目的とする。
【課題を解決するための手段】
【０００５】
本発明は、器具本体と、前記器具本体に取り付けられるランプと、を備え、前記ランプは、光源部と、前記器具本体のソケットに接続される口金を有する口金部と、を有し、前記器具本体に、前記光源部を固定する固定治具を設け、前記固定治具は、前記ソケットに設けられたソケット固定部を有することを特徴とする照明器具を提供する。
【０００６】
本発明は、上記照明器具において、前記ソケット固定部は、締結部と、光源固定部と、を有し、前記締結部は、前記ソケットに締め付け固定され、前記光源固定部は、前記光源部の少なくとも一部に引き掛けられる爪部を有することを特徴とする。
【０００７】
本発明は、上記照明器具において、前記器具本体は、光を放射する開口部を有し、前記ソケットは、接続された前記ランプの中心軸が前記開口部に延在するように、前記器具本体に設置されており、前記ソケット固定部は、締結部と、光源固定部と、を有し、前記締結部は、前記ソケットを締め付け固定し、前記光源固定部は、前記ランプの前記開口部に面する側に配置されることを特徴とする。
【０００８】
本発明は、上記照明器具において、前記ソケットには、前記光源固定部の設置位置を示すマークが印されていることを特徴とする。
【図面の簡単な説明】
【０００９】
【図１】本発明の実施形態に係る照明器具を示す斜視図である。
【図２】ＬＥＤランプの構成を示す斜視図であり、（Ａ）はＬＥＤランプを表面から示す斜視図、（Ｂ）はＬＥＤランプを裏面から示す斜視図である。
【図３】ソケット固定部にＬＥＤランプを固定した状態を示す図であり、（Ａ）は右側面図、（Ｂ）は断面図である。
【図４】ソケット固定部の構成を示す図であり、（Ａ）はソケット固定部を表面から示す斜視図、（Ｂ）はソケット固定部を裏面から示す斜視図である。
【図５】ＬＥＤランプを器具本体のソケットに取り付けている状態を示す照明器具の斜視図である。
【図６】器具固定部の照明器具への取り付け構造を示す照明器具の断面図である。
【発明を実施するための形態】
【００１０】
以下、本発明の実施の形態を、図面を参照しながら説明する。
図１は、本実施形態に係る照明器具３の構成を示す図である。照明器具３は、器具本体１００と、器具本体１００に取り付けられるＬＥＤランプ１と、を備える。なお、以下の説明において、ＬＥＤランプ１の表裏とは、光源からの光の放射方向を表として定義するものでる。また、ＬＥＤランプ１の上下とは、後述する口金４０の軸方向において口金４０側を下として定義するものである。
【００１１】
図１に示すように、器具本体１００は、既設のソケット１０５を有し、ソケット１０５にＬＥＤランプ１を取り付けて使用される。ＬＥＤランプ１は、ＨＩＤランプのような高出力タイプの既存の放電ランプの代わりに用いることができる程度の光出力を有する。また、ＬＥＤランプ１は、放電ランプが従来取り付けられていた既存の器具本体１００を置き換えることなく、器具本体１００に取り付けることができる。また、ＬＥＤランプ１は、口金４０を備えた口金型のランプであり（図２参照）、口金４０を器具本体１００のソケット１０５に装着して使用できる。
照明器具３は、光の放射方向に開口する開口部１０３を有し、開口部１０３には、本体グローブ１０１（図６参照）が着脱可能に取り付けられる。ＬＥＤランプ１は、本体グローブ１０１を取り外した開口部１０３から器具本体１００のソケット１０５に口金４０を螺入させて取り付け可能に構成される。
【００１２】
ところで、放電ランプは交流電力で点灯するが、ＬＥＤなどの発光素子は直流電力で点灯する。したがって、発光素子の一例たるＬＥＤを光源としたＬＥＤランプ１を交流の商用電源で点灯させる場合には、商用電源を直流電力に変換する電源回路を通じてＬＥＤランプ１に直流電力を供給することとなる。本実施形態のＬＥＤランプ１は電源回路を内蔵せずに、ソケット１０５の側に電源回路を設け、当該ソケット１０５から口金４０を通じて直流電力が入力される構成となっている。換言すれば、このＬＥＤランプ１を既設の放電ランプ用の灯具に装着する場合には、灯具が備える安定器を電源回路に置き換えて使用する。
本実施形態のＬＥＤランプ１は、例えば１００Ｗ〜３００Ｗの水銀ランプを用いた防犯灯などで、水銀ランプの代替として用いることができるランプである。また、ＬＥＤランプ１は、口金４０を含む全長が略１５ｃｍ〜３０ｃｍのランプである。
【００１３】
次いで、ＬＥＤランプ１の構成について詳述する。
ＬＥＤランプ１は、図２に示すように、光源を備えた光源ユニット１０（光源部）と、光源ユニット１０を保持する光源保持ユニット３０（光源保持部）と、を備える。光源保持ユニット３０は、口金４０を有し、この口金４０の中心軸Ｏに沿って柱状に延びる。口金４０は、例えばＥ２６タイプやＥ３９タイプ等の一般的にＥ型口金と呼ばれるねじ込み式（回しこみ式）のものであり、既設のソケット１０５のサイズに合わせて構成され、ソケット１０５に螺入させて装着可能になっている。口金４０には、ソケット１０５を通じて直流電源が供給され、当該直流電源を光源ユニット１０に供給することで、ＬＥＤが点灯される。なお、口金４０には差し込み式を用いても良い。
【００１４】
光源ユニット１０は、発光素子の一例たるＬＥＤ１１を光源として備える光源モジュール２０と、光源モジュール２０が表面に配置される矩形平板状の基台１６と、を備える。光源ユニット１０は、２つの基台１６と、各基台１６に設けられた光源モジュール２０とから構成される灯具本体１５を備える。２つの基台１６は、互いのなす角度αが４５°〜１３５°となるようにＶ字状に連結されている。なお、２つの基台１６の互いのなす角度αは、器具本体１００の形状や、照明器具３の規定の配光に応じて適宜に設定することができる。本実施形態のＬＥＤランプ１は、２つの基台１６のなす角度αが、略９０°に設定されている。
【００１５】
光源モジュール２０は、口金４０の軸方向に沿って延びる矩形状のモジュールであり、実装基板１２と、実装基板１２の表面に実装された複数のＬＥＤ１１と、を備える。本実施形態のＬＥＤランプ１は、２つの光源モジュール２０を備え、これらの光源モジュール２０が、口金４０の軸方向に延びる姿勢で配列され、Ｖ字状に連結された基台１６のそれぞれに支持されている。ＬＥＤランプ１は、各基台１６に配置された光源モジュール２０からの光により所望の配光が得られるように構成される。なお、照明器具３は、器具本体１００の内側に設けられる反射鏡１０２などの光学部材を備え、器具本体１００に対して所定の位置（角度）に装着されたＬＥＤランプ１からの光の少なくとも一部を反射鏡１０２により反射させて、所望の配光を形成する構成であっても良い。
【００１６】
各基台１６には、光源モジュール２０を覆うグローブ１３（カバー）が配置される。グローブ１３は、透光性のある材料、例えば樹脂材を用いて、平面視矩形状、かつ、断面半楕円形状に形成される。この構成によれば、光源モジュール２０をグローブ１３で覆ったため、ＬＥＤランプ１を取り扱う際に、ＬＥＤ１１に作業者の手等が直接触れるのを防止することができる。
【００１７】
基台１６の裏面には、複数枚の板状の冷却フィン１７が配置される。各冷却フィン１７は、基台１６の外端１６Ａから、基台１６の短手方向に亘って延びる。冷却フィン１７は、基台１６の表面に配置された光源モジュール２０から基台１６に伝熱されたＬＥＤ１１の熱を吸熱して放熱することで、ＬＥＤ１１を冷却する。灯具本体１５は、２つの基台１６及び冷却フィン１７が例えばアルミニウム等の高熱伝導性を有する金属材から一体成形される。灯具本体１５は、鋳造（例えばアルミダイキャスト）により成形されるのが望ましい。
【００１８】
光源保持ユニット３０は、口金４０と、口金受体３１と、を備える。口金受体３１は、ポリカーボネート樹脂等の樹脂材により、中空部を有する円柱状に形成され、下側から口金４０が冠着される。口金受体３１の中空内部には、口金４０と電気的に接続される不図示の回路基板が収容される。
【００１９】
光源ユニット１０は、光源保持ユニット３０に対して、口金４０の中心軸Ｏを回転中心として回動可能に構成される。光源ユニット１０を、光源保持ユニット３０に対して、回動可能にする構成として、例えば、光源ユニット１０と、光源保持ユニット３０と、を別体に構成して、光源ユニット１０と、光源保持ユニット３０とを、リング状の連結具５０で連結する構成としても良い。連結具５０は、例えば、光源保持ユニット３０の上端部に遊嵌され、内側にねじ山が切られている構成とすることができる。連結具５０は、光源ユニット１０の下端部に設けられたねじ山にねじ込まれて、光源ユニット１０の照射方向を所定の方向に向けた状態で、光源ユニット１０を光源保持ユニット３０に連結する。
また、光源ユニット１０を、光源保持ユニット３０に対して、回動可能にする別の構成として、光源ユニット１０と、光源保持ユニット３０とを、光源ユニット１０を軸方向に移動させることにより、相対的に回転可能な状態と、連結状態とを切り替え可能に一体に構成しても良い。その他の任意の構成で、光源ユニット１０を、光源保持ユニット３０に対して回動可能な構成としても良い。
【００２０】
ところで、ＬＥＤランプ１は、光源ユニット１０を、光源保持ユニット３０に対して回動可能な構成として、口金４０をソケット１０５に対して装着した後に、光源ユニット１０を光源保持ユニット３０に対して回動させて、ＬＥＤランプ１の照射方向が、器具本体１００の照射方向と合うように調整可能に構成されている。しかしながら、器具本体１００の照射方向と、ＬＥＤランプ１の照射方向と、を適切に合わせることができなければ、ＬＥＤランプ１の光の一部が器具本体内に照射されて無駄になってしまう。そのため、本実施形態では、ＬＥＤランプ１の照射方向を調整するための指針となり、ＬＥＤランプ１の光源ユニット１０を、適切な照射方向に向けて固定することができる固定治具６０を器具本体１００に設けている。
【００２１】
図３、図４は、固定治具６０の一例たるソケット固定部７０の構成を示す図である。
図３に示すように、ソケット固定部７０は、器具本体１００に設けられるソケット１０５に取り付けられる。ソケット固定部７０は、図４に示すように、ソケット締結部７１と、光源固定部７６と、を備える。ソケット締結部７１は、可塑性を有する材料から形成された環状のクランプであり、ソケット締結部７１の上下に亘って設けられたスリット７２を有する。ソケット締結部７１は、スリット７２を開いて、スリット７２を挟んで対抗する一端部７３Ａと他端部７３Ｂとを乖離させることができるように構成されている。一端部７３Ａと、他端部７３Ｂには、ソケット締結部７１の上下に亘り、外径方向に板状に突出する連結部７４がそれぞれ設けられる。連結部７４には、ねじ孔７５が設けられ、ねじ孔７５に不図示のねじをしめこんで、一端部７３Ａと、他端部７３Ｂを連結し、スリット７２を閉じることができる。
【００２２】
ソケット締結部７１は、スリット７２と対向する位置に、光源固定部７６を有する。光源固定部７６は、ソケット締結部７１の外周面から中心軸Ｏに沿って上方に延出し、光源固定部７６の先端部には、爪部７７が設けられる。
ソケット固定部７０は、スリット７２間に隙間を介して、図３に示すように、ソケット１０５の外周に周設するように装着され、連結部７４をねじ孔７５に螺合させたねじで連結させることで、スリット７２を閉じ、ソケット１０５に固定される。
【００２３】
ソケット締結部７１の上端には、貫通孔７９が形成された天面７８が設けられる。貫通孔７９は、ソケット１０５の内径と略同じ径の孔であり、ＬＥＤランプ１の口金４０は、貫通孔７９を介してソケット１０５に挿入される。また、ソケット締結部７１が、ソケット１０５に取り付けられる際には、天面７８の下面を、ソケット１０５の上端に当接させることで、ソケット締結部７１の軸方向の位置決めが成されるように構成されている。
なお、図示は省略するが、例えばソケット１０５には、ソケット締結部７１のスリット７２、又は光源固定部７６の設置位置を示すマークが予め印されており、このマークに合わせてソケット固定部７０をソケット１０５に取り付けることができる構成であっても良い。
【００２４】
光源ユニット１０には、灯具本体１５に、ソケット固定部７０の爪部７７が引き掛けられる引掛部２５が設けられている。引掛部２５は、２つの基台１６が連結されたＶ字の連結端部の下部を突出させて形成されている。爪部７７は、引掛部２５の上方、及び、両側方を囲って、引掛部２５に引き掛けられるように構成されている。光源ユニット１０は、引掛部２５が、ソケット固定部７０の爪部７７に引っ掛る位置まで回転させることで、照射方向が所望の方向に向けられるように構成されている。このように、ソケット固定部７０は、光源ユニット１０の照射方向を所定の方向に合わせる指針となる。また、ソケット固定部７０の爪部７７に、光源ユニット１０の引掛部２５が引っ掛るまで光源ユニット１０を回転させるという簡単な操作で、光源ユニット１０の照射方向を所定の方向に適切に向かせることができる。
また、ソケット固定部７０は、ソケット締結部７１のスリット７２を開いて、簡単に既設のソケット１０５に取り付けることができるため、器具本体１００を交換することなく、光源ユニット１０の照射方向を所定の方向に合わせる指針を簡単に器具本体１００に設けることができる。
【００２５】
さらに、照明器具３は、道路灯や街路灯として用いられ、器具本体１００は、道路の路肩等に設置されるポールに支持される場合があり、振動（例えば、道路を通る車両に因る振動）の影響を受ける。特に、ソケット１０５に口金４０を螺入させてＬＥＤランプ１を支持する構成では、振動によってソケット１０５に対して口金４０が回転し、ＬＥＤランプ１の照射方向が、照明器具３の照射方向からずれる場合がある。しかしながら、本実施形態の構成によれば、ソケット固定部７０をソケット１０５に固定して、ソケット固定部７０の爪部７７に光源ユニット１０の引掛部２５を引き掛けるため、光源ユニット１０をソケット１０５に固定することができる。これにより、ＬＥＤランプ１又は／及び光源ユニット１０が、器具本体１００の振動により、回転するのを防止することができ、器具本体１００の振動によって、ＬＥＤランプ１の照射方向が、照明器具３の照射方向からずれるのを防止することができる。
【００２６】
ソケット１０５に口金４０を装着し、器具本体１００に、ＬＥＤランプ１を取り付けた際に、図５に示すように、光源ユニット１０の引掛部２５に、ソケット固定部７０の爪部７７が引っ掛っていない場合には、ＬＥＤランプ１の照射方向と、照明器具３の照射方向とが一致していないことを容易に判断することができる。上述したように、ＬＥＤランプ１は、光源ユニット１０が光源保持ユニット３０に対して回動可能に構成されているため、光源ユニット１０の引掛部２５に、ソケット固定部７０の爪部７７が引っ掛かる位置まで、光源ユニット１０を回動させることで、容易にＬＥＤランプ１の照射方向を、照明器具３の照射方向に適切に合わせることができる。
【００２７】
図６は、固定治具６０の別の例である器具固定部８０の構成を示す図である。
上述のソケット固定部７０は、ソケット１０５に固定されて、ソケット１０５に対して光源ユニット１０を固定する構成であった。一方、この固定治具６０の別の例である器具固定部８０は、器具本体１００に対して光源ユニット１０を直接固定する構成である。
詳述すると、器具固定部８０は、器具本体１００とＬＥＤランプ１の間に延在する棒状の部材である。器具固定部８０は、長さ方向に伸縮自在な構成であっても良く、一端８１が器具本体１００に取り付けられ、ＬＥＤランプ１が器具本体１００に取り付けられた状態で、他端８２が光源ユニット１０の上端に当接するように構成される。光源ユニット１０の上端面であって、２つの基台１６が連結されたＶ字の連結端部には、器具固定部８０の他端８２を受ける不図示の受部が設けられていても良い。
【００２８】
また、器具固定部８０は、縮められた状態で、器具本体１００と、光源ユニット１０との間に配設され、一端８１が器具本体１００を押圧し、他端８２が光源ユニット１０を押圧するように伸びる方向に働く力によって、光源ユニット１０を器具本体１００に対して固定する構成であっても良い。一端８１によって押圧される器具本体１００の支部１０８には、器具固定部８０に因る圧力を分散する圧力分散部材１０９が設けられる。圧力分散部材１０９はゴムやスポンジ等の弾性を有するマット状の部材であり、器具固定部８０の一端８１の押圧力が器具本体１００の一点に集中しないように構成される。なお、一端８１によって押圧される器具本体１００の支部１０８は、本体グローブ１０１に設けられ、圧力分散部材１０９が本体グローブ１０１に取り付けられている構成であっても良い。この場合、圧力分散部材１０９はＬＥＤランプ１からの光の照射を遮らない位置に設けられている。
また、器具固定部８０は、縮められた状態で光源ユニット１０に搭載され、伸びることによって一端８１が器具本体１００を押圧し、光源ユニット１０を器具本体に対して固定する構成であって良い。
【００２９】
器具固定部８０の一端８１を受ける器具本体１００の支部１０８と、器具固定部８０の他端８２を受ける光源ユニット１０の受部とは、光源ユニット１０の照射方向が、照明器具３の照射方向に適切に向いている際に、器具固定部８０が安定して器具本体１００と光源ユニット１０との間で押圧力により保持されるように構成される。
【００３０】
高出力のＬＥＤランプでは、ある程度、ランプの重量も大きくなり、ソケット１０５でのみＬＥＤランプ１を保持する構成では、ソケット１０５にかかる負荷も大きくなる。本実施形態では、器具固定部８０により、ＬＥＤランプ１を器具本体１００に対して固定することができるため、ソケット１０５にかかる負荷を低減し、ＬＥＤランプ１をより安定して保持固定することができる。また、器具固定部８０により、ＬＥＤランプ１を器具本体１００に対して固定しているため、器具本体１００の振動により、口金４０がソケット１０５に対して緩むのを防止することができる。さらに、光源ユニット１０と、器具本体１００との間に器具固定部８０を安定して配設することができるように、光源ユニット１０を光源保持ユニット３０に対して回動させることで、光源ユニット１０の照射方向を、照明器具３の照射方向に適切に合わせることが出来る。また、器具固定部８０の押圧力によって、光源ユニット１０が器具本体１００の振動を受けて回転するのを防止することができる。
【００３１】
以上説明したように、本実施形態の照明器具３によれば、次の効果を奏する。
すなわち、照明器具３は、器具本体１００と、器具本体１００に取り付けられるＬＥＤランプ１と、を備え、ＬＥＤランプ１は、器具本体１００のソケット１０５に接続される口金４０を有する光源保持ユニット３０（口金部）と、光源保持ユニット３０に対して回動可能に設けられ、特定の照射方向を照射する光源ユニット１０（光源部）と、を有し、器具本体１００に、光源ユニット１０を所定の照射方向に向けて固定する固定治具６０を設けた。
この構成によれば、固定治具６０により光源ユニット１０を所定の照射方向に向けて固定することができるため、照明器具３の照射方向に、ＬＥＤランプ１の照射方向を、適切にあわせることが容易にでき、ＬＥＤランプ１の光を効率よく照射させることができる。
【００３２】
また、本実施形態によれば、固定治具６０は、ソケット１０５に設けられたソケット固定部７０を有する。この構成によれば、ソケット１０５に固定治具６０としてのソケット固定部７０を設ける構成としたため、ソケット１０５と、光源ユニット１０と、を固定することができ、器具本体１００の振動によって、口金４０がソケット１０５から緩むのを、防ぐことができ、振動に強い構成とすることができる。
【００３３】
また、本実施形態によれば、ソケット固定部７０は、ソケット締結部７１と、光源固定部７６と、を有し、ソケット締結部７１は、ソケット１０５に締め付け固定され、光源固定部７６は、光源ユニット１０の少なくとも一部に引き掛けられる爪部７７を有する。この構成によれば、ソケット固定部７０は、ソケット締結部７１をソケット１０５に締め付け固定されるため、既設の器具本体１００に設けられたソケット１０５に容易に取り付けることができる。また、爪部７７を、光源ユニット１０の少なくとも一部に引き掛けるという簡単な構成で、ソケット固定部７０により光源ユニット１０を固定することがでる。
【００３４】
また、本実施形態によれば、固定治具６０は、器具本体１００と光源ユニット１０との間に延在する器具固定部８０を有する。この構成によれば、器具本体１００と光源ユニット１０との間に延在する器具固定部８０で、光源ユニット１０を固定することができ、光源ユニット１０の重量によりソケット１０５にかかる負荷を低減することができる。
【００３５】
また、本実施形態によれば、器具固定部８０は、伸縮自在に構成され、一端８１が器具本体１００を、他端８２が光源ユニット１０を押圧することで、光源ユニット１０を器具本体１００に対して固定する。この構成によれば、既設の器具本体１００に器具固定部８０を容易に取り付けることができる。また、器具本体１００に、ＬＥＤランプ１を取り付けた状態でも、器具固定部８０を取り付けることができ、光源ユニット１０の重量をソケット１０５だけではなく、器具固定部８０によって、器具本体１００に分散させることができる。さらに、器具固定部８０で、光源ユニット１０を器具本体１００に固定するため、器具本体１００の振動により、口金４０がソケット１０５から緩むのを防止することができ、振動に強い構成とすることができる。
【００３６】
また、本実施形態によれば、器具固定部８０は、縮められた状態で光源ユニット１０に搭載され、伸ばすことで先端が器具本体１００を押圧し、光源ユニット１０を固定する。この構成によれば、既設の器具本体１００に器具固定部８０が搭載された光源ユニット１０を取り付けることで、ＬＥＤランプ１の重量をソケット１０５だけではなく、器具固定部８０によって、器具本体１００に分散させることができる。さらに、器具固定部８０で、光源ユニット１０を器具本体１００に固定するため、器具本体１００の振動により、口金４０がソケット１０５から緩むのを防止することができ、振動に強い構成とすることができる。
【００３７】
また、本実施形態によれば、器具固定部８０は、器具本体１００に接続される部分に圧力分散部材１０９が設けられる。この構成によれば、圧力分散部材１０９によって、器具固定部８０の一端８１の押圧力が器具本体１００の一点に集中せず、ＬＥＤランプ１の重量を器具本体１００に分散させることができる。
【００３８】
なお、上述した実施形態は、あくまでも本発明の一態様を例示したものであって、本発明の趣旨を逸脱しない範囲で任意に変形、及び応用が可能である。
例えば上述した実施形態では、発光素子の一例としてＬＥＤを例示したが、これに限らず、有機ＥＬ等の他の発光素子でも良い。
【符号の説明】
【００３９】
１      ＬＥＤランプ
３      照明器具
１０    光源ユニット（光源部）
１１    ＬＥＤ
２０    光源モジュール
２５    引掛部
３０    光源保持ユニット（口金部）
４０    口金
６０    固定治具
７０    ソケット固定部
７１    ソケット締結部（締結部）
７６    光源固定部
８０    器具固定部
８１    一端
８２    他端
１００  器具本体
１０５  ソケット
Ｏ      中心軸
【図１】
2019145528.tif 000003
【図２】
2019145528.tif 000004
【図３】
2019145528.tif 000005
【図４】
2019145528.tif 000006
【図５】
2019145528.tif 000007
【図６】
2019145528.tif 000008